(57)【要約】【課題】本放送番組を見逃すことなく、付加情報の視聴が可能なデジタル放送受信装置を提供すること。【解決手段】情報データと、番組データとを受信する放送受信装置１００であって、受信した番組データを再生するデコード処理部１０４と、情報データの再生開始及び終了時を外部からの指示に基づいて特定するシステム制御部１０９と、番組データを記録する蓄積部１０５と、前記再生開始時から、受信した番組データを前記蓄積部１０５に記録する蓄積処理部１０３とを備え、前記再生終了時期に、前記デコード処理部１０４は、情報データを再生し、情報データの再生を終了し、又、前記システム制御部１０９は、前記デコード処理部１０４に、前記番組データの再生を中断させ、前記再生終了時に、前記蓄積部１０５に記録している番組データを、中断させた時点における記録部分から再生を再開させることを特徴とする。【選択図】  図１
2004228807.tif 000002
【特許請求の範囲】
【請求項１】
情報データと、放送番組を構成する番組データとを受信する放送受信装置であって、
受信した番組データを再生する番組データ再生手段と、
前記情報データの再生開始及び終了のタイミングを外部からの指示に基づいて特定するタイミング特定手段と、
前記再生開始のタイミングが到来した時に、前記情報データを再生し、前記再生終了のタイミングが到来した時に、前記情報データの再生を終了する情報データ再生手段と、
番組データを記録するための記録媒体と、
前記再生開始のタイミングが到来した時から、受信した番組データを前記記録媒体に記録する記録手段と、
前記再生開始のタイミングが到来した時に、前記番組データ再生手段に、受信した番組データの再生を中断させ、前記再生終了のタイミングが到来した時に、前記番組データ再生手段に、前記記録媒体に記録している番組データを、中断させた時点における記録部分から再生を再開させる番組データ再生制御手段と
を備えることを特徴とする放送受信装置。
【請求項２】
前記番組データ再生制御手段は、
前記再生開始のタイミングが到来した時に、前記番組データ再生手段による前記番組データの再生を中断する中断手段と、
前記再生終了のタイミングが到来した時に、前記番組データの再生の中断を解除する解除手段と
を有し、
前記番組データ再生手段は、前記中断が解除されると、前記記録媒体に記録されている前記番組データを、中断した時点における記録部分から再生する
ことを特徴とする請求項１記載の放送受信装置。
【請求項３】
前記情報データは、データ放送番組を構成するデータ放送番組データである
ことを特徴とする請求項１又は２記載の放送受信装置
【請求項４】
前記放送受信装置は、特定の周波数で放送される第１類放送番組を受信し、
前記放送受信装置は、
第１類放送番組とは異なる特定の周波数で放送される第２類放送番組と、当該第２類放送番組に関連する前記第１類放送番組との対応関係を示す放送番組対応表を記憶している番組対応表記憶手段と、
第２類放送番組を受信する第２類放送番組受信装置において、ユーザーによって選択された第２類放送番組を識別する識別情報を、当該第２類放送番組受信装置から通信回線を介して受信する識別情報受信手段と、
前記番組対応表に基づいて、受信した識別情報によって識別される第２類放送番組に対応する第１類放送番組を特定する対応番組特定手段と、
特定した第１類放送番組を受信する放送受信手段と、
前記第２類放送受信装置において再生するために、受信した前記第１類放送番組を構成する第１類放送番組データを記憶する記憶手段と
を備えることを特徴とする請求項１〜３の何れかに記載の放送受信装置。
【請求項５】
前記データ放送番組データには、データ放送番組の種別を特定する番組種別情報が付与され、
前記放送受信装置はさらに、
受信したデータ放送番組データから前記番組種別情報を取得する番組種別情報取得手段と、
前記番組種別情報に基づいて、当該データ放送番組データが構成するデータ放送番組が特定放送番組に属するか否かを判定する番組種別判定手段と、
特定放送番組を構成する特定放送番組データを記録するための記録媒体と、
特定放送番組に属する場合に、当該特定放送番組を構成する特定放送番組データを前記記録媒体に記録する特定番組記録手段と
を備えることを特徴とする請求項３記載の放送受信装置。
【請求項６】
前記番組判定手段は、前記データ放送番組が特定放送番組に属する場合に、さらに、前記番組種別情報に基づいて、当該特定放送番組がネットワークから取得すべき番組か否かを判定し、
前記放送受信装置はさらに、ネットワークから取得すべき番組である場合に、リンク先情報を当該データ放送番組データから取得し、取得したリンク先情報の示すリンク先に接続し、当該リンク先から当該特定放送番組を構成する特定放送番組データをダウンロードするダウンロード手段を備え、
前記特定番組記録手段は、ダウンロードした特定番組を前記記録媒体に記録する
ことを特徴とする請求項５記載の放送受信装置。
【請求項７】
前記特定番組記録手段は、記録すべき前記特定放送番組データのデータサイズが、前記記録媒体の残存メモリ容量より大きいか否かを判定するメモリ容量判定手段を有し、
前記特定番組記録手段は、大きくない場合に限り、当該特定放送番組データを前記記録媒体に記録する
ことを特徴とする請求項４又は５記載の放送受信装置。
【請求項８】
第１類放送番組と第２類放送番組は、それぞれ異なる周波数で放送され、第１類放送番組を受信する第１類放送受信装置と、第２類放送番組を受信する第２類放送受信装置とから構成される放送受信システムであって、
前記第１類放送受信装置は、
ユーザーから、受信すべき第１類放送番組を選択するための識別情報を受取る識別情報受取手段と、
前記識別情報を、通信回線を介して前記第２類放送受信装置に送信する識別情報送信手段と
を有し、
前記第２類放送受信装置は、
第１類放送番組と、当該第１類放送番組に関連する前記第２類放送番組との対応関係を示す放送番組対応表を記憶している番組対応表記憶手段と、
前記識別情報を受信する識別情報受信手段と、
前記番組対応表に基づいて、受信した識別情報によって識別される第１類放送番組に対応する第２類放送番組を特定する対応番組特定手段と、
特定した第２類放送番組を受信する放送受信手段と、
受信した前記第２類放送番組を構成する第１類放送番組データを、通信回線を介して前記第１類法送受信装置に送信する番組送信手段と
を有する
ことを特徴とする放送送受信システム。
【請求項９】
データ放送番組を受信する放送受信装置であって、
前記データ放送番組を構成するデータ放送番組データには、データ放送番組の種別を特定する番組種別情報が付与され、
前記放送受信装置はさらに、
受信したデータ放送番組データから前記番組種別情報を取得する番組種別情報取得手段と、
前記番組種別情報に基づいて、当該データ放送番組データが構成するデータ放送番組が特定放送番組に属するか否かを判定する番組種別判定手段と、
特定放送番組を構成する特定放送番組データを記録するための記録媒体と、
特定放送番組に属する場合に、当該特定放送番組を構成する特定放送番組データを前記記録媒体に記録する特定番組記録手段と
を備えることを特徴とする放送受信装置。
【請求項１０】
前記番組判定手段は、前記データ放送番組が特定放送番組に属する場合に、さらに、前記番組種別情報に基づいて、当該特定放送番組がネットワークから取得すべき番組か否かを判定し、
前記放送受信装置はさらに、ネットワークから取得すべき番組である場合に、リンク先情報を当該データ放送番組データから取得し、取得したリンク先情報の示すリンク先に接続し、当該リンク先から当該特定放送番組を構成する特定放送番組データをダウンロードするダウンロード手段を備え、
前記特定番組記録手段は、ダウンロードした特定番組を前記記録媒体に記録する
ことを特徴とする請求項９記載の放送受信装置。
【発明の詳細な説明】
【０００１】
【発明の属する技術分野】
本発明は、デジタル放送受信装置に関し、特に受信したデータを再生及び記録をするための制御技術に関する。
【０００２】
【従来の技術】
デジタル放送では、放送番組を構成する映像データ、音声データ、テキストデータ等の各データは、ＴＳ（トランスポートストリーム）パケットと呼ばれるＭＰＥＧ２の規格に準拠した固定長（１８８バイト）のパケットによって伝送され、１つの放送チャネルで複数の放送番組や電子番組ガイド（ＥＰＧ：Ｅｌｅｃｔｒｏｎｉｃ  Ｐｒｏｇｒａｍｍｉｎｇ  Ｇｕｉｄｅ）等の付加情報を送信することができる。
【０００３】
これにより、視聴者は、１つの放送チャネルを選局することにより、映像と音声で構成される従来のアナログ放送番組と同様の本放送番組に加え、データ放送番組やＥＰＧなどの付加情報をデジタル放送受信機の分割画面に同時に表示して視聴することができ、従来のアナログ放送に比べ、より充実した放送サービスを享受することができる。
【０００４】
また、近年におけるデジタル放送の視聴者数の増大に伴って利用者の趣味、嗜好に合わせた種々の番組、種々のサービスも増加し、例えば映画、スポーツ、音楽、ニュース、ドラマ、バラエティー、教養、劇場中継、趣味、アニメ等の極めて多くのジャンルについての放送番組が、多数の放送チャンネルで放送されるようになっている。
【０００５】
従って、デジタル放送の視聴者は、上記のような極めて多くの放送番組の中から自分の好みの放送番組を自由に選択することができる。
【０００６】
【特許文献】特開２００２−１１２２０１
【０００７】
【特許文献】特開２００２−１２５１６１
【０００８】
【発明が解決しようとする課題】
しかしながら、従来のデジタル放送受信機においては、付加情報が画面に表示されている間も、本放送番組は、分割された画面上に引き続き表示されるため、視聴者は、付加情報を視聴している間に、つい、放送中の本放送番組を見逃してしまうという問題が生じる。
【０００９】
又、デジタル放送によって提供される放送番組は、多種多様であるので、視聴者にとって、自己の興味のある放送番組を、ＥＰＧ等を参照して一々選択するのは、手間と時間がかかるという問題が生じる。
そこで、本発明は、上記の課題に鑑み、本放送番組を見逃すことなく、付加情報の視聴が可能なデジタル放送受信装置を提供することを第１の目的とし、自己の興味のある放送番組を容易に選択して取得することが可能なデジタル放送受信装置を提供することを第２の目的とする。
【００１０】
【課題を解決するための手段】
上記の課題を解決するために本発明は、情報データと、放送番組を構成する番組データとを受信する放送受信装置であって、受信した番組データを再生する番組データ再生手段と、前記情報データの再生開始及び終了のタイミングを外部からの指示に基づいて特定するタイミング特定手段と、前記再生開始のタイミングが到来した時に、前記情報データを再生し、前記再生終了のタイミングが到来した時に、前記情報データの再生を終了する情報データ再生手段と、番組データを記録するための記録媒体と、前記再生開始のタイミングが到来した時から、受信した番組データを前記記録媒体に記録する記録手段と、前記再生開始のタイミングが到来した時に、前記番組データ再生手段に、受信した番組データの再生を中断させ、前記再生終了のタイミングが到来した時に、前記番組データ再生手段に、前記記録媒体に記録している番組データを、中断させた時点における記録部分から再生を再開させる番組データ再生制御手段とを備えることを特徴とする。
【００１１】
これにより、ユーザーが放送番組を視聴している途中で、当該放送番組以外の他の表示データを再生する必要が生じても、他の表示データの再生を開始した時点から、視聴していた放送番組が自動的に録画されるので、ユーザーは、視聴していた放送番組の一部を見逃してしまうという不具合を生ずることなく、必要時に他の表示データの示す情報を再生し、表示させることができる。
【００１２】
又、前記放送受信装置は、特定の周波数で放送される第１類放送番組を受信し、前記放送受信装置は、第１類放送番組とは異なる特定の周波数で放送される第２類放送番組と、当該第２類放送番組に関連する前記第１類放送番組との対応関係を示す放送番組対応表を記憶している番組対応表記憶手段と、第２類放送番組を受信する第２類放送番組受信装置において、ユーザーによって選択された第２類放送番組を識別する識別情報を、当該第２類放送番組受信装置から通信回線を介して受信する識別情報受信手段と、前記番組対応表に基づいて、受信した識別情報によって識別される第２類放送番組に対応する第１類放送番組を特定する対応番組特定手段と、特定した第１類放送番組を受信する放送受信手段と、前記第２類放送受信装置において再生するために、受信した前記第１類放送番組を構成する第１類放送番組データを記憶する記憶手段とを備える
こととしてもよい。
【００１３】
これにより、ユーザーの選択した放送番組に関連のある放送番組を、自動的に選択して取得することができ、ユーザーは、自己の興味のある放送番組を、ＥＰＧ等を参照して一々選択するという手間と時間をかけることなく、取得することができる。又、自己の放送受信装置では、受信できない、関連放送番組を取得することができる。
【００１４】
【発明の実施の形態】
（実施の形態１）
＜構成＞
図１は、本発明の実施の形態１におけるデジタル放送受信装置１００の構成を示す。デジタル放送受信装置１００は、アンテナ１１１、受信処理部１０１、データ分離処理部１０２、蓄積処理部１０３、デコード処理部１０４、蓄積部１０５、表示部１０６、スピーカー１０７、入力部１０８、システム制御部１０９、主記憶部１１０から構成される。
【００１５】
なお、スピーカー１０７及び表示部１０６は、デジタル放送受信装置１００とは、別構成としてもよい。
デジタル放送受信機１００は、ハードウェアとしてはＣＰＵ、ＲＯＭ、ＲＡＭ、ハードディスク、チューナ、デコーダ等から構成され、ＲＯＭ又は上記ハードディスクには、コンピュータプログラムが記憶され、上記ＣＰＵが、上記コンピュータプログラムに従って動作することにより、上記装置は、その機能を達成する。
【００１６】
受信処理部１０１は、チューナ、復調回路等から構成され、システム制御部１０９によって指示された、放送チャネルに対応する周波数で送信されるＴＳを、デジタル放送受信用アンテナ１１１を介して受信し、受信したＴＳを復調してデータ分離処理部１０２に出力する。
図２は、ＴＳの構成を示す。ＴＳは、固定長（１８８バイト）のＴＳパケットから構成され、各ＴＳパケットには、本放送番組を構成する映像及び音声データ（以下、「番組データ」という。）、データ放送番組を構成するデータ放送データ、ＥＰＧ（電子番組表）を構成するＥＰＧデータ（以下、データ放送データとＥＰＧデータを総称して「付加データ」という。）、ＰＳＩを構成するＰＳＩデータがデータ毎にパケット化されて挿入されており、各パケット化データのヘッダ部には、パケット化されているデータの種別を識別する識別子であるＰＩＤが付与されている。
【００１７】
ここで、ＰＳＩとは、ＩＳＯ／ＩＥＣ１３８１８−１の規格において定義されている、受信すべき放送番組を簡便に選局するために必要な選局情報（Ｐｒｏｇｒａｍ  Ｓｐｅｃｉｆｉｃ  Ｉｎｆｏｒｍａｔｉｏｎ：ＰＳＩ）のことをいい、ＰＳＩには、ＴＳで伝送される各放送番組を構成するパケット化データのＰＩＤを記述するＰＭＴ（Ｐｒｏｇｒａｍ  Ｍａｐ  Ｔａｂｌｅ）、各ＰＭＴを伝送するパケット化データのＰＩＤを記述するＰＡＴ（Ｐｒｏｇｒａｍ  Ａｓｓｏｃｉａｔｉｏｎ  Ｔａｂｌｅ）などのデータテーブルが含まれる。
【００１８】
データ分離処理部１０２は、割込みレジスタ１０２１を有し、システム制御部１０９の指示に応じて、受信処理部１０１より入力されたＴＳから、ＰＡＴ及びＰＭＴを分離して、システム制御部１０９に出力し、システム制御部１０９によって特定されたＰＩＤの値をＰＩＤフィルタに設定することによって、当該ＴＳから番組データと、付加データとを分離する。
【００１９】
又、データ分離処理部１０２は、割込みレジスタ１０２１のフラグ値を監視し、フラグ値が、システム制御部１０９より割込み指示があったことを示している場合（ここでは、フラグ値が「１」にセットされている場合）に、分離した番組データを蓄積処理部１０３に出力し、フラグ値が割込み指示がないことを示している場合（ここでは、フラグ値が「０」にセットされている場合）に、分離した番組データをデコード処理部１０４に出力し、さらに、フラグ値にかかわらず分離した付加データをシステム制御部１０９に出力する。
【００２０】
蓄積処理部１０３は、割込みレジスタ１０３１を有し、データ分離処理部１０２から入力された番組データを蓄積部１０５に記録する。
又、蓄積処理部１０３は、割込みレジスタのフラグを監視し、フラグ値がシステム制御部１０９より割込み指示があったことを示している場合（ここでは、フラグ値が「１」にセットされている場合）に、蓄積部１０５から番組データを読出し、デコード処理部１０４に出力し、フラグ値が「０」にセットされている場合に、番組データの読出しを中断する。
【００２１】
デコード処理部１０４は、データ分離処理部１０２から入力された番組データ、蓄積処理部１０３から入力された番組データ、及びシステム制御部１０９から入力された付加データをそれぞれデコードし、Ｄ／Ａ変換して生成した、各データの映像信号を表示部１０６へ、各データの音声信号をスピーカー１０７に出力する。
【００２２】
表示部１０６は、デコード処理部１０４より入力された映像信号をモニタ画面に表示する。
スピーカ１０７は、デコード処理部１０４より入力された音声信号に基づいて、音声を発する。
入力部１０８は、ユーザーからの本放送番組の放送チャネル（以下、「本放送チャネル」という。）の選択指示、付加データ表示指示及び表示終了指示等の各種指示の入力を受取り、システム制御部１０９に出力する。
【００２３】
システム制御部１０９は、データ分離処理部１０２より入力された付加データを主記憶部１１０に格納することに加え、デコード対象となるデータの選択制御処理、具体的には、受信番組データ選択制御処理、付加データ選択制御処理、蓄積番組データ選択制御処理を行う。以下、各処理について説明する。
最初に受信番組データ選択制御処理について説明する。
【００２４】
システム制御部１０９は、入力部１０８から本放送チャネルの選択指示の入力があると、受信処理部１０１に当該放送チャネルに対応する周波数でＴＳを受信するように指示し、データ分離処理部１０２の割込みレジスタのフラグ値を「０」にセットし、データ分離処理部１０２が受信処理部１０１から入力されたＴＳから分離した番組データを、デコード処理部１０４に出力するように制御する。
【００２５】
次に付加データ選択制御処理について説明する。
システム制御部１０９は、入力部１０８から付加データの表示指示の入力があると、データ分離処理部１０２の割込みレジスタのフラグ値を「１」にセットし、データ分離処理部１０２が分離した番組データを、蓄積処理部１０３に出力するように制御し、蓄積処理部１０３の割込みレジスタ１０３１のフラグ値を「０」にセットし、主記憶部１１０に記録されている付加データを読出し、デコード処理部１０４に出力する。
【００２６】
次に蓄積番組データ選択制御処理について説明する。
入力部１０８より付加データの表示終了指示の入力があると、システム制御部１０９は、蓄積処理部１０３の割込みレジスタ１０３１のフラグ値を「１」にセットし、蓄積処理部１０３が蓄積部１０５から番組データを読出し、デコード処理部１０４に出力するように制御する。
【００２７】
主記憶部１１０は、付加データを記憶している。
＜動作＞
次にデジタル放送受信装置１００の行う表示制御処理について説明する。
図３は、上記処理の動作を示すフローチャートである。以下、図３を参照して、上記表示制御処理について説明する。
【００２８】
システム制御部１０９は、入力部１０８より本放送チャネル選択指示の入力があると（ステップＳ３０１）、データ分離処理部１０２の割込みレジスタ１０２１のフラグ値と蓄積処理部１０３のフラグ値とを「０」にセットし（ステップＳ３０２）、受信処理部１０１から入力された番組データを、データ分離処理部１０２がデコード処理部１０４に出力するように制御し、さらに、付加データ表示指示の入力回数をカウントするための変数ｎ値を初期化（ｎ＝０）する。
【００２９】
受信処理部１０１は、上記選択指示により選局された本放送チャネルに対応する周波数で、ＴＳを受信し（ステップＳ３０３）、受信したＴＳを復調してデータ分離処理部１０２に出力する。
データ分離処理部１０２は、入力されたＴＳから番組データと付加データを分離し、割込みレジスタ１０２１のフラグ値を参照し、分離した番組データをデコード処理部１０４に出力し、さらに、分離した付加データをシステム制御部１０９に出力する（ステップＳ３０４）。
【００３０】
デコード処理部１０４は、入力された番組データをデコードし、Ｄ／Ａ変換して、本放送番組を表示部１０６に表示させる（ステップＳ３０５）。
システム制御部１０９は、入力部１０８からの指示入力を監視し、付加データ表示指示の入力があると（ステップＳ３０６：Ｙ）、ｎ値を１増加し、ｎ値の値に基づいて、付加データ表示指示の入力が１回目か否かを判定する（ステップＳ３０７）。
【００３１】
１回目である場合（ステップＳ３０７：Ｙ）、データ分離処理部１０２の割込みレジスタのフラグ値を「１」にセットし（ステップＳ３０８）、受信処理部１０１より入力された番組データを、データ分離処理部１０２に、蓄積処理部１０３に出力させるように制御することにより、番組データのデコード処理部１０４への出力を中断させ、さらに、主記憶部１１０に記憶されている付加データを読出し、デコード制御部１０４に出力する。
【００３２】
データ分離処理部１０２は、割込みレジスタのフラグ値を参照して、分離した番組データを蓄積処理部１０３に出力し（ステップＳ３０９）、蓄積処理部１０３は、入力された番組データを蓄積部１０５に記録する。
デコード処理部１０４は、入力された付加データをデコードし、Ｄ／Ａ変換して、付加データを表示部１０６に切替表示させる（ステップＳ３１０）。
【００３３】
システム制御部１０９は、入力部１０８からの指示入力を監視し、付加データ表示終了指示の入力があると（ステップＳ３１１：Ｙ）、蓄積処理部１０３の割込みレジスタ１０３１のフラグ値を「１」にセットすることにより割込み指示をし（ステップＳ３１２）、蓄積処理部１０３が蓄積部１０５から番組データを読出し、デコード処理部１０４に出力するように制御する。
【００３４】
蓄積処理部１０３は、割込みレジスタ１０３１のフラグ値を参照して、蓄積部１０５からの番組データの読出しを、デコード処理部１０４への出力を中断された時点において、出力すべきであった番組データの記録部分（付加データ表示指示入力が１回目の場合は、記録が開始された部分、１回目でない場合は、後述するステップＳ３１５の処理により、読出しが中断された部分）から開始し、デコード処理部１０４に出力し、デコード処理部１０４は、入力され番組データをデコードし、Ｄ／Ａ変換して、記録された本放送番組を表示部１０６に切替表示させる（ステップＳ３１３）。
【００３５】
システム制御部１０９は、入力部１０８からの指示入力を監視し、入力部１０８より本放送チャネル選択指示の入力があると（ステップＳ３１４：Ｙ）、ステップＳ３０２の処理を繰り返す。
入力がない場合（ステップＳ３１４：Ｎ）、ステップＳ３０５の処理を繰り返す。
【００３６】
ステップＳ３０７において、１回目の入力でない場合（ステップＳ３０７：Ｎ）、システム制御部１０９は、蓄積処理部１０３の割込みレジスタのフラグ値を「０」に設定する（ステップＳ３１５）ことにより、蓄積処理部１０３による蓄積部１０５からの番組データの読み出しを中断させるように制御することにより、番組データのデコード処理部１０４への出力を中断させ、さらに、主記憶部１１０に記憶されている付加データを読出し、デコード制御部１０４に出力し、デコード処理部１０４は、ステップＳ３１０の処理を行う。
（実施の形態２）
＜構成＞
図４は、本発明の実施の形態２におけるデジタル放送受信システム２０００の構成を示す。デジタル放送受信システム２０００は、デジタル放送受信装置２００と携帯通信端末３００とから構成される。
【００３７】
デジタル放送受信装置２００は、広帯域の周波数のデジタル放送波を受信可能な方送受信機である。
ここで、「広帯域」とは、日本で採用されている地上波デジタル放送の伝送方式であるＩＳＤＢ−Ｔ（Ｉｎｔｅｇｒａｔｅｄ  Ｓｅｒｖｉｃｅ  Ｄｉｇｉｔａｌ  Ｂｒｏａｄｃａｓｔｉｎｇ―Ｔｅｒｒｅｓｔｒｉａｌ：地上デジタル統合放送サービス）の場合を例にとると、１セグメント４３２ｋＨｚの帯域幅で送信されるデジタル放送波、１３セグメント分（５．６ＭＨｚ）程度の帯域幅をいう。
【００３８】
デジタル放送受信装置２００は、受信処理部１０１、データ分離処理部２０２、蓄積処理部１０３、デコード処理部１０４、蓄積部１０５、表示部１０６、スピーカー１０７、入力部１０８、システム制御部２０９、主記憶部２１０、通信部２１１から構成される。
ここで、実施の形態１におけるデジタル放送受信装置１００と同一の機能を有する構成要素については、同一の構成要素番号を付しており、以下、デジタル放送受信装置２００について、機能に相違点のある構成要素を中心に説明する。
【００３９】
データ分離処理部２０２は、データ分離処理部１０１の行う機能に加え、システム制御部２０９の指示に応じて、受信処理部２０１より入力されたＴＳからＰＡＴ及びＰＭＴを分離して、システム制御部２０９に出力し、さらに、出力したＰＭＴに基づいてシステム制御部２０９によって特定された、関連番組を構成するパケット化データ（以下、「関連番組データ」という。）のＰＩＤの通知を受け取ると、ＰＩＤフィルタに当該ＰＩＤ値を設定することにより、受信処理部２０１より入力されたＴＳから、当該関連番組データを分離して、システム制御部２０９に出力する。
【００４０】
ここで、「関連番組」とは、通信端末３００によって受信可能な狭帯域デジタル放送番組（以下、「狭帯域番組」という。）に関連する、デジタル放送受信装置２００によって受信可能で、通信端末３００によって受信できない広帯域デジタル放送番組のことをいい、例えば、狭帯域デジタル放送番組が音声ドラマ番組である場合に、当該ドラマ番組の映像時短ドラマ番組が関連番組となる。
【００４１】
ここで、「狭帯域」とは、ＩＳＤＢ−Ｔの場合を例にとると、１セグメント４３２ｋＨｚの帯域幅で送信されるデジタル放送波、１〜数セグメント分程度の帯域幅をいう。
図６は、ＴＳから分離されるＰＡＴとＰＭＴとの関係を示す模式図である。図６においては、ＰＡＴには、ＰＭＴ１を識別するＰＩＤ（Ａ）とＰＭＴ２を識別するＰＩＤ（Ｂ）が記述され、ＰＩＤ（Ａ）のパケット化データには、ＰＭＴ１が含まれ、ＰＩＤ（Ｂ）のパケット化データには、ＰＭＴ２が含まれている。さらに、ＰＭＴ１には、番組データを識別するＰＩＤが記述され、ＰＭＴ２には、データ放送データを識別するＰＩＤが記述されている。
【００４２】
なお、図６では、説明の便宜上、ＰＡＴに記述されているＰＭＴのＰＩＤは２種類としたが、ＰＡＴに記述されているＰＭＴのＰＩＤの種類は２種類に限らない。
図７は、ＰＭＴのデータ構成を示す模式図である。ＰＭＴのデータ構成の詳細については、ＩＳＯ／ＩＥＣ１３８１８−１に定義されているので、主な構成要素について説明すると、テーブルＩＤ７１には、テーブルの種別が記述され、ストリームタイプ７２には、映像、音声、データなどデータストリームで伝送される信号の種類が記述され、エレメンタリーＰＩＤ７３には、ＰＭＴによって特定される放送番組を構成するパケット化データを識別するＰＩＤが記述されている。
【００４３】
主記憶部２１０は、主記憶部１１０の有する機能に加え、番組対応表を記憶している。
「番組対応表」とは、携帯通信端末３００によって受信可能な狭帯域番組と関連番組と当該関連番組の放送チャネル及び放送時間との対応関係を示すテーブルのことをいう。図５は、番組対応表の具体例を示す。図５では、説明の便宜上、狭帯域番組名及び関連番組名で表されているが、実際には番組対応表に、各番組名に対応する識別子が記述されている。
【００４４】
システム制御部２０９は、システム制御部１０９の有する機能に加え、受信関連番組特定処理を行い、当該処理を介してデータ分離処理部２０２に通知されたＰＩＤを有する関連番組データがデータ分離処理部２０２より入力されると、当該関連番組データに、システム制御部２０９が保持している携帯通信端末３００のＩＰアドレスを付加してパケット化したデータ（以下、「関連番組パケットデータ」という。）を通信部２１１に出力する。
【００４５】
以下、受信関連番組特定処理について詳しく説明する。
システム制御部２０９は、携帯通信端末３００からデジタル放送受信機２００に送信された狭帯域番組の選択情報をパケット化したデータ（以下、「番組選択情報パケットデータ」という。）を、通信部２１１を介して受取り、主記憶部２１０に記憶されている番組対応表を参照し、当該選択情報に基づいて受信すべき関連番組を特定する。
【００４６】
ここで、「番組選択情報パケットデータ」とは、携帯通信端末３００のユーザーによって選択された狭帯域番組の識別子（以下、「番組識別子」という。）と当該狭帯域番組の選択情報であることを識別するための番組選択情報識別子と、当該パケットデータの送信先であるデジタル放送受信装置２００のＩＰアドレスと、当該パケットデータの送信元である携帯通信端末３００のＩＰアドレスとから構成されるパケットデータのことをいう。
【００４７】
システム制御部２０９は、受け取った番組選択情報パケットデータに含まれる番組選択情報識別子により、当該情報が狭帯域番組の選択情報であることを認識し、当該番組選択情報パケットデータから番組識別子を取得し、当該番組識別子に対応する関連番組の識別子（以下、「関連番組識別子」という。）、当該関連番組の放送チャネル及び放送時間を、主記憶部２１０に記憶されている番組対応表を参照して特定する。
【００４８】
次に特定した放送時間が到来すると、受信処理部２０１に、特定した放送チャネルに対応する周波数で、ＴＳを受信するように指示し、当該ＴＳから分離されたＰＡＴがデータ分離処理部２０２から入力されると、当該ＰＡＴに記述されている、特定した放送チャネルに対応するＰＭＴのＰＩＤを取得し、当該ＰＩＤをデータ分離処理部２０２に通知し、通知したＰＩＤに基づいて、データ分離処理部２０２によって分離されたＰＭＴが入力されると、当該ＰＭＴが記述している、当該関連番組を構成する関連番組データのＰＩＤを取得し、データ分離処理部２０２に通知する。
【００４９】
通信部２１１は、電話やＬＡＮなどの通信回線網２１２に接続され、システム制御部２０９より入力された関連番組パケットデータを変調し、通信回線網２１２を介して携帯通信端末３００に送信し、又、携帯通信端末３００から送信された番組選択情報パケットデータを、通信回線網２１２を介して受信し、受信した番組選択情報パケットデータを復調して、システム制御部２０９に出力する。
【００５０】
次に、携帯通信端末３００について説明する。図８は、携帯通信端末３００の構成を示す。
携帯通信端末３００は、狭帯域デジタル放送受信用アンテナ３０１、受信処理部３０２、データ分離処理部３０３、デコード処理部３０４、表示部３０５、スピーカー３０６、システム制御部３０７、通信処理部３０８、メモリ３０９、キー入力部３１０、マイク３１１、アンテナ３１２から構成される。
【００５１】
携帯通信端末３００は、デジタル放送受信機２００で受信可能な放送番組（例えば、ハイビジョン放送番組、普通映像放送番組、データ放送番組、音声放送番組など）のうち、一部の放送番組（例えば、音声放送番組）を受信可能な狭帯域用携帯放送受信機である。
携帯通信端末３００は、ハードウェアとしてはＣＰＵ、ＲＯＭ、ＲＡＭ、ハードディスク、チューナ、デコーダ等から構成され、ＲＯＭ又は上記ハードディスクには、コンピュータプログラムが記憶され、上記ＣＰＵが、上記コンピュータプログラムに従って動作することにより、上記装置は、その機能を達成する。
【００５２】
受信処理部３０２は、チューナ、復調回路等から構成され、キー入力部３１０を介してユーザーによって選局された放送チャネルの周波数で、ＴＳをデジタル放送受信用アンテナ３０１を介して受信し、受信したＴＳを復調してデータ分離処理部３０３に出力する。
データ分離処理部３０３は、受信処理部３０２より入力されたＴＳを、ＰＩＤフィルタによってフィルタリングし、音声データと狭帯域電子番組表を構成する静止画データ（以下、「狭帯域番組表データ」という。）とに分離し、分離した音声データをデコード処理部３０４に出力し、狭帯域番組表データをシステム制御部３０７に出力する。
【００５３】
なお、ここでは、音声データのみをデコード処理部３０４に出力することとしているが、映像データと音声データをＴＳから分離し、両データをデコード処理部３０４に出力することとしてもよい。
デコード処理部３０４は、以下の処理を行う。
（１）データ分離処理部３０３より入力された音声データをデコードし、Ｄ／Ａ変換して生成した音声信号をスピーカー３０６に出力する。
（２）システム制御部３０７より入力された、関連番組データをデコードし、Ｄ／Ａ変換して生成した、映像信号を表示部３０５に、音声信号をスピーカー３０６に出力する。
（３）システム制御部３０７より入力された狭帯域番組表データをデコードし、Ｄ／Ａ変換して生成した映像信号を表示部３０５に出力する。
【００５４】
表示部３０５は、デコード処理部３０４より入力された映像信号をモニタ画面に表示する。
スピーカ３０６は、デコード処理部３０４より入力された音声信号に基づいて、音声を発する。
通信処理部３０８は、関連番組パケットデータ、通話の音声データなどの通信データを、アンテナ３１２を介して受信し、受信した通信データを復調し、システム制御部３０７に出力し、又、システム制御部３０７から入力された番組選択情報パケットデータ、通話の音声データなどの通信データを変調し、アンテナ３１２を介して送信する。
【００５５】
メモリ３０９は、関連番組データ、番組識別子及び狭帯域番組表データを格納している。
キー入力部３１０は、狭帯域番組表の表示指示、番組識別子の選択指示、選択指示した番組識別子の送信指示、関連番組データの再生指示等のユーザーからの指示入力を受取り、システム制御部３０９に出力する。
【００５６】
マイク３１１は、通話の音声をシステム制御部３０７に出力する。
システム制御部３０７は、データ分離処理部３０３より入力された狭帯域番組表データをメモリ３０９に格納する。
システム制御部３０７は、さらに以下の処理を行う。
（１）キー入力部３１０より、狭帯域番組表の表示指示の入力があると、メモリ３０９より狭帯域番組表データを読出し、デコード処理部３０４に出力する。
（２）狭帯域番組の取得制御処理を行う。具体的には、キー入力部３１０からの番組識別子の入力により、狭帯域番組の選択指示があると、当該番組識別子をメモリ３０９に格納し、受信処理部３０２に、当該番組識別子に対応付けられている、狭帯域番組の放送チャネルに対応する周波数でのＴＳの受信を指示し、データ分離処理部３０３より、受信されたＴＳから分離されたＰＡＴに基づいて、当該番組識別子によって特定される狭帯域番組のデータ構成を示すＰＭＴを特定し、当該ＰＭＴに記述されている狭帯域番組を構成する狭帯域番組データを含むパケット化データのＰＩＤを取得し、当該ＰＩＤをデータ分離処理部３０３に通知して、当該狭帯域番組データを分離、取得させる。
（３）キー入力部３１０より、ユーザーの選択指示した番組識別子の送信指示があると、メモリ３０９より当該番組識別子を読出し、当該番組識別子を含む番組選択情報パケットデータを生成し、通信処理部３０８に出力する。
（４）キー入力部３１０より狭帯域番組表の表示指示の入力があると、メモリ３０９から狭帯域番組表データを読出し、デコード処理部３０４に出力する。
（５）通信処理部３０８より関連番組パケットデータを受信すると、当該パケットデータから関連番組データを取得してメモリ３０９に格納し、キー入力部３１０より、再生指示があるとメモリ３０９より関連番組データを読出し、デコード処理部３０４に出力する。
＜動作＞
次に、携帯通信端末３００の行う番組選択情報の送信処理について説明する。図９は、上記処理の動作を示すフローチャートである。
【００５７】
システム制御部３０７は、キー入力部３１０より、狭帯域番組表の表示指示の入力があると、メモリ３０９より狭帯域番組表データを読出し、デコード処理部３０４に狭帯域番組表を表示部３０５に表示させ、キー入力部３１０より、番組識別子の入力により、狭帯域番組の選択指示があると（ステップＳ９０１）、当該番組識別子をメモリ３０９に格納し、当該狭帯域番組の放送チャネルに対応する周波数でのＴＳの受信を指示し（ステップＳ９０２）、さらに、キー入力部３１０より当該番組識別子の送信指示を受取ると（ステップＳ９０３）、メモリ３０９より当該番組識別子を読出し、当該番組識別子を含む番組選択情報パケットデータを生成し、通信処理部３０８に出力する（ステップＳ９０４）。
【００５８】
通信処理部３０８は、システム制御部３０７から入力された番組選択情報パケットデータを変調し、アンテナ３１２を介してデジタル放送受信装置２００に送信する（ステップＳ９０５）。
次に、デジタル放送受信装置２００の行う関連番組取得処理の動作について説明する。図１０は、上記処理の動作を示すフローチャートである。
【００５９】
通信部２１１は、携帯通信端末３００から送信された番組選択情報パケットデータを、通信回線網２１２を介して受信し（ステップＳ１００１）、受信した番組選択情報パケットデータを復調して、システム制御部２０９に出力する。
システム制御部２０９は、受け取った番組選択情報パケットデータに含まれる番組選択情報識別子により、当該情報が狭帯域番組の選択情報であることを認識し、当該番組選択情報パケットデータから番組識別子を取得し（ステップＳ１００２）、主記憶部２１０に記憶されている番組対応表を参照し（ステップＳ１００３）、取得した番組識別子に対応する関連番組識別子が番組対応表に記述されているか否かにより、当該番組識別子の狭帯域番組に対応する関連番組が有るか否かを判定する（ステップＳ１００４）。
【００６０】
有る場合（ステップＳ１００４：Ｙ）、当該関連番組の関連番組識別子、放送チャネル及び放送時間を、番組対応表を参照して特定し（ステップＳ１００５）、特定した放送時間が到来すると（ステップＳ１００６：Ｙ）、受信処理部１０１に、特定した放送チャネルに対応する周波数でのＴＳの受信を指示し（ステップＳ１００７）、当該ＴＳから分離されたＰＡＴがデータ分離処理部２０２から入力されると、当該ＰＡＴに記述されている、特定した放送チャネルに対応するＰＭＴのＰＩＤを取得し、当該ＰＩＤをデータ分離処理部２０２に通知し、通知したＰＩＤに基づいてデータ分離処理部２０２によって分離されたＰＭＴを取得すると（ステップＳ１００８）、当該ＰＭＴが記述している、当該関連番組を構成する関連番組データのＰＩＤを取得し、データ分離処理部２０２に通知する（ステップＳ１００９）。
【００６１】
データ分離処理部２０２は、システム制御部２０９より、関連番組データのＰＩＤの通知を受け取ると、ＰＩＤフィルタに当該ＰＩＤ値を設定することにより、受信処理部１０１より入力されたＴＳから当該関連番組データを分離して、システム制御部２０９に出力する（ステップＳ１０１０）。
システム制御部２０９は、当該関連番組データを含む関連番組パケットデータを生成し、通信部２１１に出力する（ステップＳ１０１１）。
【００６２】
通信部２１１は、システム制御部２０９より入力された関連番組パケットデータを変調し、通信回線網２１２を介して携帯通信端末３００に送信する（ステップＳ１０１２）。
ステップＳ１００４において、無い場合（ステップＳ１００４：Ｎ）、処理を終了する。
（実施の形態３）
＜構成＞
図１１は、本発明の実施の形態３におけるデジタル放送受信装置４００の構成を示す。デジタル放送受信装置４００は、アンテナ１１１、受信処理部１０１、データ分離処理部１０２、蓄積処理部４０３、デコード処理部１０４、蓄積部４０５、表示部１０６、スピーカー１０７、入力部４０８、システム制御部４０９、主記憶部４１０、通信部４１１、リムーバブルメディア４１２から構成される。
【００６３】
ここで、実施の形態１におけるデジタル放送受信装置１００と同一の機能を有する構成要素については、同一の構成要素番号を付しており、以下、デジタル放送受信装置４００について、機能に相違点のある構成要素を中心に説明する。
蓄積処理部４０３は、蓄積処理部１０３の有する機能に加え、システム制御部４０９から入力された特殊編集番組を構成するデータ放送番組データ（以下、「特殊編集番組データ」という。）を蓄積部４０５及びリムーバブルメディア４１２に格納する。
【００６４】
ここで、「特殊編集番組」とは、特定のデータ放送番組のことを言い、例えば、本放送番組の編集番組（本放送番組で放送される特定のシーンを構成する映像データ及び音声データを編集したもの）のことをいう。
蓄積部４０５及びリムーバブルメディア４１２は、特殊編集番組データを格納している。又、蓄積部４０５は、蓄積部１０５の有する機能を備えている。
【００６５】
ここで、リムーバブルメディア４１２には、ＣＤ−ＲＯＭ、ＤＶＤ−ＲＡＭ、メモリーカード、メモリスティック、ＭＯ、フレキシブルディスク等の可搬性の、装着及び取り外し可能な記録媒体が含まれる。
入力部４０８は、入力部１０８の有する機能に加え、特殊編集番組を放送する放送チャネル及び録画時間の指示の入力をユーザーから受取り、当該指示をシステム制御部４０９に出力する。
【００６６】
主記憶部４１０は、主記憶部１１０の有する機能に加え、入力部４０８よりシステム制御部４０９に入力された放送チャネル及び録画時間、及び特殊編集番組データを格納している。
通信部４１１は、通信回線網２１２に接続され、システム制御部４０９より入力された特殊編集番組データのダウンロード要求指示を変調して、当該指示に示されるリンク先に送信し、リンク先から送信された特殊編集番組データを復調して、システム制御部４０９に出力する。
【００６７】
システム制御部４０９は、番組検出部４０９１を有し、番組検出部４０９１は、データ分離処理部１０２より入力されるデータ放送データが主記憶部４１０に格納されると、当該データ放送データに埋め込まれている番組識別フラグ情報を取得し、当該番組識別フラグ情報に基いて、データ放送番組データの番組種別を判定し、番組種別が特殊編集番組である場合に、当該データ放送番組データを蓄積処理部４０３に出力し、種別がネットワーク取得特殊編集番組である場合に、当該データ放送番組データを解析して、リンク先のアドレスを取得し、当該リンク先への特殊編集番組データのダウンロード要求指示を通信部４１１に出力する。
【００６８】
ここで、「番組識別フラグ情報」は、データ放送番組データを搬送するＴＳパケットのペイロード部に埋め込まれているフラグ情報であり、当該データの番組種別が特殊編集番組であるか否かを示す特殊編集番組識別フラグ（ここでは、フラグ値「１」が特殊編集番組を示すものとする。）と、当該特殊編集番組の種別（ネットワーク取得番組か非ネットワーク取得番組か）を示すネットワーク番組識別フラグ（ここでは、フラグ値「１」がネットワーク取得番組を示すものとする。）とから構成される。
【００６９】
図１２は、番組識別フラグ情報の具体例を示す。
又、システム制御部４０９は、通信部４１１から入力された、リンク先から送信された特殊編集番組データを取得すると、蓄積処理部４０３に出力する。
さらに、システム制御部４０９は、システム制御部１０９の有する機能を備える。
＜動作＞
次に、デジタル放送受信装置４００が行う特殊編集番組記録処理の動作について説明する。図１３は、上記動作を示すフローチャートである。
【００７０】
システム制御部４０９は、主記憶部４１０に格納されている録画時間に基づいて、ユーザーから指示された録画時間が到来したか否かを監視し、録画開始時間が到来したことを検知すると（ステップＳ１３０１）、ユーザーによって指定された放送チャネルに対応する周波数でＴＳを受信するように受信処理部１０１に指示する。
【００７１】
受信処理部１０１は、システム制御部４０９から指示された放送チャネルに対応する周波数で放送されるＴＳをデジタル放送受信用アンテナ１１１を介して受信する（ステップＳ１３０２）。
システム制御部４０９は、データ分離部１０２より、ユーザーから指示された放送チャネルに対応するＰＭＴを取得し（ステップＳ１３０３）、データ放送番組データを搬送するパケット化データのＰＩＤを特定し、当該ＰＩＤをデータ分離処理部１０２に通知する。
【００７２】
データ分離処理部１０２は、受信処理部１０１から入力されたＴＳから、通知されたＰＩＤのデータ放送番組データを分離し、システム制御部４０９に出力する。
システム制御部４０９は、データ分離部１０２から当該データ放送番組データを取得し（ステップＳ１３０４）、番組検出部４０９１は、当該データ放送番組データから番組識別フラグ情報を取得し、当該番組識別フラグ情報に含まれる特殊編集番組識別フラグの示すフラグ値に基づいて、当該データ放送番組データの属する番組種別が特殊編集番組であるか否かを判定する（ステップＳ１３０５）。
【００７３】
特殊編集番組である場合に（ステップＳ１３０５：Ｙ）、番組検出部４０９１は、さらに、ネットワーク番組識別フラグの示すフラグ値に基づいて、当該データ放送番組データの属する番組種別がネットワーク取得特殊編集番組か否かを判定する（ステップＳ１３０６）。
ネットワーク取得特殊編集番組である場合に（ステップＳ１３０６：Ｙ）、番組検出部４０９１は、当該データ放送番組データを解析して、リンク先のアドレスを取得する（ステップＳ１３０７）。
【００７４】
システム制御部４０９は、当該リンク先への特殊番組データのダウンロード要求指示を通信部４１１に出力し、通信部４１１を介して、リンク先の、特殊編集番組提供サーバに接続し、当該提供サーバから特殊編集番組データをダウンロードし（ステップＳ１３０８）、当該特殊編集番組データを通信部４１１を介して取得すると、当該特殊編集番組データを蓄積処理部４０３に出力する（ステップＳ１３０９）。
【００７５】
蓄積処理部４０３は、システム制御部４０９より入力された特殊編集番組データを蓄積部４０５及びリムーバブルメディア４１２に格納する（ステップＳ１３１１）。
ステップＳ１３０５において，特殊編集番組でない場合（ステップＳ１３０５：Ｎ）、番組検出部４０９１は、処理を終了し、又、ステップＳ１３０６において、ネットワーク取得番組である場合（ステップＳ１３０６：Ｙ）、システム制御部４０９は、取得したデータ放送番組データを蓄積処理部４０３に出力する（ステップＳ１３１０）。
＜補足＞
以上、本発明の実施の形態について説明したが、本発明はこれらの実施の形態に限定されないのは言うまでもない。
（１）例えば、本発明の実施の形態１においては、入力部１０８から付加データの表示指示及び表示終了指示の入力に応じて、システム制御部１０９が付加データ選択制御処理及び蓄積番組データ選択制御処理を行うこととしたが、付加データに限らず、その他のデータの表示指示及び表示終了指示の入力が、入力部１０８からあった場合にも同様の制御をすることとしてもよい。例えば、外部から受信したメールやウェブページの画像の表示指示及び表示終了指示の入力であってもよい。
【００７６】
又、入力部１０８からの入力に限らず、受信したＴＳに付加データの表示指示のための制御情報が含まれているような場合において、当該制御情報に基いて特定される付加データの表示開始及び終了のタイミングがシステム制御部１０９によって検知された時においても、同様の制御を行うこととしてもよい。
（２）本発明の実施の形態２においては、図１０に示す関連番組取得処理の動作において、取得した関連番組を携帯通信端末３００に直接、送信することとしたが（ステップＳ１０１０〜ステップＳ１０１２）、関連番組を直接、送信せず、実施の形態３の場合と同様に、リムーバブルメディアに記録し、当該リムーバブルメディアを携帯通信端末３００に装着し、当該リムーバブルメディアから関連番組を読出し、再生することとしてもよい。
（３）本発明の実施の形態３においては、図１３に示す特殊編集番組記録処理の動作において、取得した特殊編集番組データを自動的にリムーバブルメディア４１２に記録することとしたが（ステップＳ１３０９〜ステップＳ１３１１）、当該特殊編集番組データの取得時に、システム制御部４０９が当該特殊編集番組のデータサイズの情報とリムーバブルメディア４１２における残存メモリ容量の情報を取得し、両者を比較して、残存メモリ容量が当該データサイズよりも大きい場合に、当該特殊編集番組データを取得して、蓄積処理部１０４に出力し、蓄積処理部１０４に当該特殊編集番組データをリムーバブルメディアに記録させることとしてもよい。
（４）本発明の実施の形態３においては、図１３に示す特殊編集番組記録処理の動作において、番組識別フラグ情報に基づいて、特殊編集番組、ネットワーク取得番組を識別することとしたが（ステップＳ１３０５、Ｓ１３０６）、識別する方法は、番組識別フラグ情報を用いる方法に限らず、他の方法であってもよい。
【００７７】
例えば、ＡＲＩＢ  ＳＴＤ−Ｂ１０で規定されるＥＩＴ（イベント情報テーブル）に特殊編集番組、ネットワーク取得番組を識別するための情報をＥＩＴの記述子に記述し、システム制御部４０９が定期的にＥＩＴをデータ分離処理部１０２から取得して、その内容を解析することにより、特殊編集番組、ネットワーク取得番組を識別することとしてもよい。
（５）本発明の実施の形態３においては、取得した特殊編集番組データをリムーバブルメディア４１２に記録させることとしたが、実施の形態２における場合と同様に、通信部を介して携帯通信端末に送信することとしてもよい。
【００７８】
【発明の効果】
本発明は、情報データと、放送番組を構成する番組データとを受信する放送受信装置であって、受信した番組データを再生する番組データ再生手段と、前記情報データの再生開始及び終了のタイミングを外部からの指示に基づいて特定するタイミング特定手段と、前記再生開始のタイミングが到来した時に、前記情報データを再生し、前記再生終了のタイミングが到来した時に、前記情報データの再生を終了する情報データ再生手段と、番組データを記録するための記録媒体と、前記再生開始のタイミングが到来した時から、受信した番組データを前記記録媒体に記録する記録手段と、前記再生開始のタイミングが到来した時に、前記番組データ再生手段に、受信した番組データの再生を中断させ、前記再生終了のタイミングが到来した時に、前記番組データ再生手段に、前記記録媒体に記録している番組データを、中断させた時点における記録部分から再生を再開させる番組データ再生制御手段との構成を備える。
【００７９】
又、前記番組データ再生制御手段は、前記再生開始のタイミングが到来した時に、前記番組データ再生手段による前記番組データの再生を中断する中断手段と、前記再生終了のタイミングが到来した時に、前記番組データの再生の中断を解除する解除手段とを有し、前記番組データ再生手段は、前記中断が解除されると、前記記録媒体に記録されている前記番組データを、中断した時点における記録部分から再生するの構成としてもよい。
【００８０】
これにより、ユーザーが放送番組を視聴している途中で、当該放送番組以外の他の表示データを再生する必要が生じても、他の表示データの再生を開始した時点から、視聴していた放送番組が自動的に録画されるので、ユーザーは、視聴していた放送番組の一部を見逃してしまうという不具合を生ずることなく、必要時に他の表示データの示す情報を再生し、表示させることができる。
【００８１】
ここで、前記情報データは、データ放送番組を構成するデータ放送番組データであることとしてもよい。
これにより、ユーザーは、視聴している放送番組を見逃すことなく、当該放送番組に関連するデータ放送番組をゆっくり視聴することができる。
ここで、前記放送受信装置は、特定の周波数で放送される第１類放送番組を受信し、前記放送受信装置は、第１類放送番組とは異なる特定の周波数で放送される第２類放送番組と、当該第２類放送番組に関連する前記第１類放送番組との対応関係を示す放送番組対応表を記憶している番組対応表記憶手段と、第２類放送番組を受信する第２類放送番組受信装置において、ユーザーによって選択された第２類放送番組を識別する識別情報を、当該第２類放送番組受信装置から通信回線を介して受信する識別情報受信手段と、前記番組対応表に基づいて、受信した識別情報によって識別される第２類放送番組に対応する第１類放送番組を特定する対応番組特定手段と、特定した第１類放送番組を受信する放送受信手段と、前記第２類放送受信装置において再生するために、受信した前記第１類放送番組を構成する第１類放送番組データを記憶する記憶手段とを備えることとしてもよい。を特徴とする請求項１〜３の何れかに記載の放送受信装置。
【００８２】
これにより、ユーザーの選択した放送番組に関連のある放送番組を、自動的に選択して取得することができ、ユーザーは、自己の興味のある放送番組を、ＥＰＧ等を参照して一々選択するという手間と時間をかけることなく、取得することができる。又、自己の放送受信装置では、受信できない、関連放送番組を取得することができる。
【００８３】
ここで、前記データ放送番組データには、データ放送番組の種別を特定する番組種別情報が付与され、前記放送受信装置はさらに、受信したデータ放送番組データから前記番組種別情報を取得する番組種別情報取得手段と、前記番組種別情報に基づいて、当該データ放送番組データが構成するデータ放送番組が特定放送番組に属するか否かを判定する番組種別判定手段と、特定放送番組を構成する特定放送番組データを記録するための記録媒体と、特定放送番組に属する場合に、当該特定放送番組を構成する特定放送番組データを前記記録媒体に記録する特定番組記録手段とを備えることとしてもよい。
【００８４】
これにより、受信したデータ放送番組から特定の放送番組を自動的に選択して取得することができる。
ここで、前記番組判定手段は、前記データ放送番組が特定放送番組に属する場合に、さらに、前記番組種別情報に基づいて、当該特定放送番組がネットワークから取得すべき番組か否かを判定し、前記放送受信装置はさらに、ネットワークから取得すべき番組である場合に、リンク先情報を当該データ放送番組データから取得し、取得したリンク先情報の示すリンク先に接続し、当該リンク先から当該特定放送番組を構成する特定放送番組データをダウンロードするダウンロード手段を備え、前記特定番組記録手段は、ダウンロードした特定番組を前記記録媒体に記録することとしてもよい。
【００８５】
これにより、特定放送番組がネットワークから取得されるべきデータ放送番組を自動的に検出して、リンク先から当該特定放送番組を取得することができる。ここで、前記特定番組記録手段は、記録すべき前記特定放送番組データのデータサイズが、前記記録媒体の残存メモリ容量より大きいか否かを判定するメモリ容量判定手段を有し、前記特定番組記録手段は、大きくない場合に限り、当該特定放送番組データを前記記録媒体に記録することとしてもよい。
【００８６】
これにより、記録媒体の残存メモリ容量が不足している場合に、特定放送番組データが誤って記録されるのを有効に防止することができる。
ここで、第１類放送番組と第２類放送番組は、それぞれ異なる周波数で放送され、第１類放送番組を受信する第１類放送受信装置と、第２類放送番組を受信する第２類放送受信装置とから構成される放送受信システムであって、前記第１類放送受信装置は、ユーザーから、受信すべき第１類放送番組を選択するための識別情報を受取る識別情報受取手段と、前記識別情報を、通信回線を介して前記第２類放送受信装置に送信する識別情報送信手段とを有し、前記第２類放送受信装置は、第１類放送番組と、当該第１類放送番組に関連する前記第２類放送番組との対応関係を示す放送番組対応表を記憶している番組対応表記憶手段と、前記識別情報を受信する識別情報受信手段と、前記番組対応表に基づいて、受信した識別情報によって識別される第１類放送番組に対応する第２類放送番組を特定する対応番組特定手段と、特定した第２類放送番組を受信する放送受信手段と、受信した前記第２類放送番組を構成する第１類放送番組データを、通信回線を介して前記第１類法送受信装置に送信する番組送信手段と
を有することとしてもよい。
【００８７】
これにより、ユーザーの選択した放送番組に関連のある放送番組を、自動的に選択して取得することができ、ユーザーは、自己の興味のある放送番組を、ＥＰＧ等を参照して一々選択するという手間と時間をかけることなく、取得することができる。又、自己の放送受信装置では、受信できない、関連放送番組を取得することができる。
【００８８】
ここで、データ放送番組を受信する放送受信装置であって、前記データ放送番組を構成するデータ放送番組データには、データ放送番組の種別を特定する番組種別情報が付与され、前記放送受信装置はさらに、受信したデータ放送番組データから前記番組種別情報を取得する番組種別情報取得手段と、前記番組種別情報に基づいて、当該データ放送番組データが構成するデータ放送番組が特定放送番組に属するか否かを判定する番組種別判定手段と、特定放送番組を構成する特定放送番組データを記録するための記録媒体と、特定放送番組に属する場合に、当該特定放送番組を構成する特定放送番組データを前記記録媒体に記録する特定番組記録手段とを備えることとしてもよい。
【００８９】
これにより、受信したデータ放送番組から特定の放送番組を自動的に選択して取得することができる。
ここで、前記番組判定手段は、前記データ放送番組が特定放送番組に属する場合に、さらに、前記番組種別情報に基づいて、当該特定放送番組がネットワークから取得すべき番組か否かを判定し、前記放送受信装置はさらに、ネットワークから取得すべき番組である場合に、リンク先情報を当該データ放送番組データから取得し、取得したリンク先情報の示すリンク先に接続し、当該リンク先から当該特定放送番組を構成する特定放送番組データをダウンロードするダウンロード手段を備え、前記特定番組記録手段は、ダウンロードした特定番組を前記記録媒体に記録することとしてもよい。
これにより、特定放送番組がネットワークから取得されるべきデータ放送番組を自動的に検出して、リンク先から当該特定放送番組を取得することができる。
【図面の簡単な説明】
【図１】本発明の実施の形態１におけるデジタル放送受信装置１００の構成を示す。
【図２】ＴＳの構成を示す。
【図３】デジタル放送受信装置１００の行う表示制御処理の動作を示すフローチャートである。
【図４】本発明の実施の形態２におけるデジタル放送受信システム２０００の構成を示す。
【図５】番組対応表の具体例を示す。
【図６】ＴＳから分離されるＰＡＴとＰＭＴとの関係を示す模式図である。
【図７】受信装置１０００によって行われるＰＣＲ抽出処理の動作を示すフローチャートである。
【図８】携帯通信端末３００の構成を示す。
【図９】携帯通信端末３００の行う番組選択情報の送信処理動作を示すフローチャートである。
【図１０】デジタル放送受信装置２００の行う関連番組取得処理の動作を示すフローチャートである。
【図１１】本発明の実施の形態３におけるデジタル放送受信装置４００の構成を示す。
【図１２】番組識別フラグ情報の具体例を示す。
【図１３】デジタル放送受信装置４００が行う特殊編集番組記録処理の動作を示すフローチャートである。
【符号の説明】
１００，２００  デジタル放送受信装置
１０１，３０２  受信処理部
１０２，２０２，３０３  データ分離処理部
１０３，４０３  蓄積処理部
１０４，３０４  デコード処理部
１０５  蓄積部
１０６，３０５  表示部
１０７，３０６  スピーカー
１０８，４０８  入力部
１０９，２０９，３０７，４０９  システム制御部
１１０，２１０，４１０  主記憶部
１１１  アンテナ
２１１，４１１    通信部
２１２  通信回線網
３００  携帯通信端末
３０１  デジタル放送受信用アンテナ
３０６  スピーカー
３０８  通信処理部
３０９  メモリ
３１０  キー入力部
３１１  マイク
３１２  アンテナ
１０２１  割込レジスタ
１０３１  割込レジスタ
２０００  デジタル放送受信システム
４０９１  番組検出部
【図１】
2004228807.tif 000003
【図２】
2004228807.tif 000004
【図３】
2004228807.tif 000005
【図４】
2004228807.tif 000006
【図５】
2004228807.tif 000007
【図６】
2004228807.tif 000008
【図７】
2004228807.tif 000009
【図８】
2004228807.tif 000010
【図９】
2004228807.tif 000011
【図１０】
2004228807.tif 000012
【図１１】
2004228807.tif 000013
【図１２】
2004228807.tif 000014
【図１３】
2004228807.tif 000015